(57)【特許請求の範囲】
【請求項１】
セーフティレーザーシステムを取り付けたフォークリフトにおいて、レーザー用スイッチ(１)と警告手段(３)とを装備したセーフティレーザーシステムの操作パネル(９)を、運転席(２)の前面でオペレータがレーザー用スイッチ(１)のスイッチ操作ができ、また、警告手段(３)を目視できる近傍位置に設置し、そしてまた、前記の警告手段(３)はオペレータが確認可能なランプまたはブザーなどとすると共に、前記のレーザー用スイッチ(１)と警告手段(３)とは電気的に直列に連結して、オペレータがレーザー(４)が照射されているか否かを目視により確認しなくてもレーザー用スイッチ(１)が投入された時に、常に警告手段(３)が作動する電気回路にしたことを特徴とするセーフティレーザーシステムの警告装置。
【発明の詳細な説明】
【０００１】
【発明の属する技術分野】
この発明は、暗い倉庫や高い位置における荷役作業をレーザーシステムを取り付けたフォークリフトを使用して行うとき、フォークリフトのレーザーが照射しているか否かをオペレータが目視により確認しなくてもよいようにしたセーフティレーザーシステムの警告装置に関するものである。
【０００２】
【従来の技術】
レーザーが照射されている状態であれば、オペレータはセーフティレーザーシステムが作動中であることを目視確認できるはずであるが、レーザー側に設けられているレーザー用スイッチおよび角度検出センサにより、フォーク水平時にのみレーザーを照射させるようにした図４，図５に示す構造のものでは、フォークが水平になっている時以外はレーザー用スイッチが投入された状態であっても、レーザーはパレットのところまで照射されないようになっている。
【０００３】
【発明が解決しようとする課題】
レーザー用スイッチが投入されているがレーザーが照射していない場合、オペレータはレーザー用スイッチを切り忘れる恐れがある。レーザー用スイッチを切り忘れると電気を無駄に消費させることになるばかりでなく、オペレータがレーザーが照射されている部分を誤って覗き込んでしまう環境を作ることになる。レーザーの照射を目に受けることは医学上危険なことで、この発明はこうした事故を未然に防止することを重要の課題としている。
【０００４】
【課題を解決するための手段及び作用効果】
この発明は上記の課題に対処するためになされたもので、セーフティレーザーシステムを取り付けたフォークリフトにおいて、レーザー用スイッチと警告手段とを装備したセーフティレーザーシステムの操作パネルを、運転席の前面でオペレータがレーザー用スイッチのスイッチ操作ができ、また、警告手段を目視できる近傍位置に設置し、そしてまた、前記の警告手段はオペレータが確認可能なランプまたはブザーなどとすると共に、前記のレーザー用スイッチと警告手段とは電気的に直列に連結して、オペレータがレーザーが照射されているか否かを目視により確認しなくてもレーザー用スイッチが投入された時に、常に警告手段が作動する電気回路にしたことを特徴とするセーフティレーザーシステムの警告装置である。
【０００５】
レーザー用スイッチが投入された時に、常に警告手段が作動することになり、レーザーからの光が照射される前方に対して、レーザー照射を受ける恐れがあるという注意をオペレータ自身、およびオペレータを通じて周囲の作業者に喚起することでき、レーザー照射による事故を未然に防止することができる。また、レーザー用スイッチが投入されたままで無駄に電気を消費させることも起こらない。
【０００６】
【発明の実施の形態】
以下この発明の実施例について、図面により説明する。
図１はこの発明に係るセーフティレーザーシステムの警告装置を設置したフォークリフトの機器のレイアウトを示す一実施例の側面図、図２はレーザー用スイッチと警告手段として警告ランプとを装備した操作パネルの説明図、図３はこの発明に係るセーフティレーザーシステムの電気回路図である。
【０００７】
図１では、この発明のセーフティレーザーシステムを構成する個々の機器が、フォークリフトに設置された状態のレイアウトの一実施例として示されている。まず車体側には、図１には図示されていないレーザー用スイッチ１と警告手段３(図２を参照)とを装備したセーフティレーザーシステムの操作パネル９が、運転席２の前面でオペレータがレーザー用スイッチ１のスイッチ操作ができ、また、警告手段３を目視することのできる近傍位置に設置されている。また、バッテリ電源７は車体側に格納されている。そして、マスト装置側には、レーザー４と水平センサ６とが取り付けられている。
【０００８】
図２は、操作パネルの説明図である。操作パネル９にはレーザー用スイッチ１と警告手段３とが並べて装備されている。図２において、警告手段３として警告ランプ３１が採用され図面になっているが、この警告手段３としてブザーを用いても所期の目的を達することができる。なお、操作パネル９は、運転席２の前面でオペレータがレーザー用スイッチ１のスイッチ操作ができ、また、警告手段３(警告ランプ３１)を目視することのできる近傍位置に設置されているのがよい。
【０００９】
図３の本発明に係るセーフティレーザーシステムの電気回路図によると、まず、バッテリ電源７にレーザー用スイッチ１が連結され、それに続いて警告手段３(警告ランプ３１)が電気的に直列に連結している。そして、警告手段３(警告ランプ３１)にはDC−DCコンバータが連結され、それから水平センサ６が連結され、さらにレーザー４に連結されている。このようなセーフティレーザーシステムの電気回路図において、オペレータが操作パネル９のレーザー用スイッチ１を「オン」にすると、バッテリ電源７により警告手段３としての警告ランプ３１が点灯する。この時、マスト装置側に設置されている水平センサ６の働らきにより、フォークが水平状態になっている場合に限り、レーザー４が照射するようになっている。
【００１０】
警告手段３として警告ランプ３１などの警告灯を使用すること以外に、ブザーや音響などによる音響機器を使用しても良い。そして、警告手段３として警告ランプ３１にするか、それともブザーや音声などによる音響機器にするかは、このセーフティレーザーシステムを取り付けたフォークリフトにより荷役作業をどのような現場で行うのかによって、あくまでも、この警告手段を選択することになる。
【図面の簡単な説明】
【図１】  この発明に係るセーフティレーザーシステムの警告装置を設置したフォークリフトの機器のレイアウトを示す一実施例の側面図である。
【図２】  レーザー用スイッチと警告手段として警告ランプとを装備した操作パネルの説明図である。
【図３】  この発明に係るセーフティレーザーシステムの電気回路図である。
【図４】  従来のセーフティレーザーシステムを設置したフォークリフトの機器のレイアウトを示す側面図である。
【図５】  従来のセーフティレーザーシステムの電気回路図である。
【符号の説明】
１・・・・・レーザー用スイッチ
２・・・・・運転席
３・・・・・警告手段
３１・・・・警告ランプ、又はブザー、又は音響手段
４・・・・・レーザー
６・・・・・水平センサ
７・・・・・バッテリ電源
９・・・・・操作パネル
【図１】
0003768445.tif 000002
【図２】
0003768445.tif 000003
【図３】
0003768445.tif 000004
【図４】
0003768445.tif 000005
【図５】
0003768445.tif 000006